(57)【要約】　　　（修正有）【課題】綿布雑巾掃除機の内部の回転する中央軸にスプリングを連結して中央軸の回転力を蓋の上下運動のための弾性力に転換する。【解決手段】下部本体１、蓋２及びハンドルよりなり、下部本体の横方向の両先端に内部挟み部材２２、２６と外部挟み部材１９、２１とが組み立てられ、内部挟み部材と外部挟み部材との間に雑巾が挟まれることができる綿布雑巾掃除機において、下部本体に回転自由に固定される中央軸１３、中央軸の両先端に固定された中央軸ギア、中央軸ギアの回転によって往復運動をする水平ギア、水平ギアの往復運動によって回転する中間ギア、中間ギアの回転によって水平ギアと反対方向に往復運動をする水平ギア１７、１１７、水平ギアにそれぞれ組み立てられた外部挟み部材、スプリングにより弾性力を受ける支持部材、支持部材にそれぞれ組み立てられた内部挟み部材、及び中央軸が回転するように弾性力を附与するロープとスプリングよりなる。【選択図】　図３
2004113757.tif 000002
【特許請求の範囲】
【請求項１】
下部本体（１）、前記下部本体に組み立てられる蓋（２）及び前記蓋を貫通して下部本体に組み立てられるハンドル（３）よりなり、下部本体の横方向の両先端にそれぞれ内部挟み部材（２２、２６）と外部挟み部材（１９、２１）とが組み立てられ、前記内部挟み部材と外部挟み部材との間に雑巾が挟まれ、また挟まれた雑巾が分離可能である綿布雑巾掃除機において、
下部本体に回転自由に固定される中央軸（１３）、前記中央軸の両先端に固定された中央軸ギア（１４、１１４）、中央軸ギアの回転によって往復運動をする水平ギア（１５、１１５）、水平ギアの往復運動によって回転する中間ギア（１６、１１６）、中間ギアの回転によって前記水平ギア（１５、１１５）と反対方向に往復運動をする水平ギア（１７、１１７）、前記水平ギア（１５、１１５；１７、１１７）にそれぞれ組み立てられた外部挟み部材（２１、１９）、スプリング（２５、１２５；２９、１２９）により弾性力を受ける支持部材（２４、１２４；２８、１２８）、前記支持部材にそれぞれ組み立てられた内部挟み部材（２２、２６）および前記中央軸が回転するように弾性力を附与するロープ（３２）とスプリング（３３）よりなり、蓋の開閉につれて外部挟み部材（１９、２１）が開閉されるように支持部材（３４、１３４）の下部が下部本体に組み立てられ、スライド部材（３５、１３５）はその下部において水平ギア（１５、１１５）と組み立てられ、その上部において蓋（２）と組み立てられ、その中央部において支持部材（３４、１３４）の上部と結合されることを特徴とする、綿布雑巾掃除機。
【請求項２】
前記水平ギア（１５、１１５；１７、１１７）がそれぞれ外部挟み部材（２１、１９）と結合される際に外部挟み部材が下部側に弾性力を受けるようにそれぞれスプリング（２０、１２０；１８、１１８）が挿入されることを特徴とする、請求項１に記載の綿布雑巾掃除機。
【請求項３】
前記支持部材（２４、１２４；２８、１２８）がそれぞれ内部挟み部材（２２、２６）と結合される際に内部挟み部材が下部側に弾性力を受けるようにそれぞれスプリング（２３、１２３；２７、１２７）が挿入されることを特徴とする、請求項１に記載の綿布雑巾掃除機。
【請求項４】
前記ロープ（３２）とスプリング（３３）とが設けられることを特徴とする、請求項１に記載の綿布雑巾掃除機。
【請求項５】
前記蓋（２）を下部本体に締結するための掛け装置（１２）が下部本体の設けられ、それに相応する締結部材（図示されない）が蓋（２）の下部側に設けられることを特徴とする、請求項１に記載の綿布雑巾掃除機。
【発明の詳細な説明】
【０００１】
【発明の属する分野】
本発明は綿布雑巾掃除機に関する。より具体的には、本発明は家庭の居間、事務室などの床をウェットモップまたは不織布雑巾で掃除するための掃除機に関するもので、雑巾をワンタッチ方式で容易に交替することができる綿布雑巾掃除機に関する。
【０００２】
【従来の技術】
一般家庭の居間やカーペットが敷かれていない事務室などの床はいろんな方法で掃除されている。一般家庭ではウェットモップを用い、うつぶせて居間などの床をふいている。このようなウェットモップによる掃除方法は最も原始的な方法で多くの肉体労働を必要としている。またカーペットが敷かれていない事務室などの床は雑巾が長柄に取り付けられている長柄付き雑巾を用いている。しかしこの長柄付き雑巾は雑巾が長柄に固定されているため、雑巾をきれいに洗濯して使用し難いのが実情である。したがって、長柄付き雑巾を用いて床をふく場合にはきれいな状態を維持し難いのが実情である。タオルなどの綿布をウェットモップ掃除機に装着して用いるウェットモップ掃除機はウェットモップをはずして洗濯することができるが、ウェットモップを掃除機に装着して脱着するに不便さがある。床をふくためのまた他の方法は真空掃除機を用いるのである。真空掃除機は本来カーペットが敷かれている床を掃除するためのもので、カーペットが敷かれていない床をきれいにふくことは容易でない実情である。
【０００３】
特に韓国や日本のように室内で靴を脱いで生活をする東洋文化圏ではきれいに洗濯されたウェットモップで室内の床をきれいにふくべき必要性がある。このような観点で本発明者はきれいに洗濯された雑巾を容易に脱着させて室内の床を便利にふくことができるウェットモップ掃除機を開発し、大韓民国特許第１１０８１９号（１９９４．１０．７出願）で特許を受けたことがある。この特許発明は内部構造が複雑で蓋と下部本体間にたくさんの空間が必要であるため、製品の厚さが厚くなる。また蓋を開けるために圧縮スプリングを用いることにより、時間が経ることにつれて本体と蓋の中央部分がふくれる現象が現われ、外部挟み部材の水平運動のために外部挟み部材に連結される支持部材が全てスライド部材を通じて蓋に連結するため、掃除機の縦の幅を減らすことに限界がある。
【０００４】
本発明者は前記特許発明の短所を補完して内部構造をより簡単にし、製品の厚さをより薄くすることができる構造を有する掃除機を開発するに至った。不織布を用いた床掃除は床のほこりを拭く簡単な掃除方法である。本綿布雑巾掃除機は、綿布ウェットモップと不織布を綿布雑巾掃除機に容易に脱着できるようにして床掃除を容易にするものである。
【０００５】
【発明が解決しようとする課題】
本発明の目的は、蓋を開けるため本体と蓋との間に圧縮スプリングを用いる方式ではなく、内部の回転する中央軸にスプリングを連結して中央軸の回転力を蓋の上下運動のための弾性力に転換することにある。
【０００６】
本発明の他の目的は、綿布雑巾掃除機の縦の幅を減らすため蓋を外部挟み部材に連結されている一方支持部材のみに連結して蓋の上下運動を支持部材の水平運動に転換させ、反対方向の外部挟み部材に連結されている支持部材の水平運動のためにはギアを用いることにある。
【０００７】
本発明の他の目的は、蓋を閉じる際に蓋の中央部分ではなく横に偏る部分が押されても外部挟み部材が平行につぼまるようにすることにある。
【０００８】
本発明の他の目的は、内部構造をより簡単にすることにより、製造原価を節減することができる綿布雑巾掃除機を提供することにある。
【０００９】
本発明の他の目的は、内部構造を簡単にすることにより、掃除機の厚さを減らすことができる綿布雑巾掃除機を提供することにある。
【００１０】
【課題を解決するための手段】
本発明の前記及びその他の目的は、以下において詳細に説明される本発明により達成することができる。
【００１１】
本発明の綿布雑巾掃除機は、必要なすべての部品が組み立てられる下部本体、前記下部本体に組み立てられる蓋、及び前記蓋を貫通して下部本体に組み立てられるハンドルよりなり、下部本体の横方向の両先端にそれぞれ内部挟み部材と外部挟み部材とが組み立てられ、前記内部挟み部材と外部挟み部材との間に雑巾が挟まれ、また挟まれた雑巾が分離できる綿布雑巾掃除機において、下部本体に回転自由に固定される中央軸、前記中央軸の両先端に固定された中央軸ギア、中央軸ギアの回転によって往復運動をする水平ギア、水平ギアの往復運動によって回転する中間ギア、中間ギアの回転によって前記水平ギアと反対方向に往復運動をする水平ギア、前記水平ギアにそれぞれ組み立てられた外部挟み部材、スプリングにより弾性力を受ける支持部材、前記支持部材にそれぞれ組み立てられた内部挟み部材、及び前記中央軸が回転するように弾性力を附与するロープとスプリングよりなることを特徴とする。
【００１２】
蓋の開閉につれて外部挟み部材が開閉されるように支持部材の下部が下部本体に組み立てられ、スライド部材はその下部において水平ギアと組み立てられ、その上部において蓋と組み立てられ、その中央部において支持部材の上部と結合される。
【００１３】
水平ギアがそれぞれ外部挟み部材と結合される際に外部挟み部材が下部側に弾性力を受けるようにそれぞれスプリングが挿入される。
【００１４】
支持部材がそれぞれ内部挟み部材と結合される際に内部挟み部材が下部側に弾性力を受けるようにそれぞれスプリングが挿入される。
【００１５】
中央軸に、回転できるように弾性力を附与するため、ロープとスプリングとが設けられ、また他のロープとスプリングが設けられることもできる。
【００１６】
前記蓋を下部本体に締結するための掛け装置が下部本体に設けられ、それに相応する締結部材が蓋の下部側に設けられる。
【００１７】
【発明の実施の形態】
以下添付された図面を参考にして本発明の内容を下記で詳細に説明する。
【００１８】
本発明の綿布雑巾掃除機は、必要な全ての部品が組み立てられる下部本体１、前記下部本体に組み立てられる蓋２及び前記蓋を貫通して下部本体に組み立てられるハンドル３よりなり、下部本体の横方向の両先端にそれぞれ内部挟み部材２２、２６と外部挟み部材１９、２１とが組み立てられ、前記内部挟み部材と外部挟み部材との間に雑巾が挟まれ、また挟まれた雑巾を分離することができる。
【００１９】
図１は、本発明に係る綿布雑巾掃除機の概略的な斜視図で、内部挟み部材と外部挟み部材との間に雑巾（図示されない）が挟まれて蓋２が下部本体１に閉まった状態を示している。
【００２０】
図１に示すように、蓋が下部本体に閉まった状態で蓋に触れると蓋が開く。再び蓋を押すと閉まる。このような装置は大韓民国特許第１１０８１９号だけでなく他の分野でも広く用いられている締結装置である。
【００２１】
図２は図１の掃除機において上部の蓋が開いた状態を図示する概略的な斜視図である。蓋が開くと内部挟み部材２２、２６と外部挟み部材１９、２１は外側に空き、その間に挟まれていた雑巾が分離される。部品の構造上、外部挟み部材１９、２１は内部挟み部材２２，２６よりより一層空き、それで雑巾がよく分離される。
【００２２】
本発明は内部構造をより簡単にすることにより製造原価を節減し、掃除機の縦の幅と厚さを減らすことができる長所がある。
【００２３】
図３は本発明に係る綿布雑巾掃除機の内部構造を図示した概略的な分解平面図である。下部本体１にはすべての部品が固定されたり組み立てられる。本発明において図面符号が２００番代であるのは他の部品らを固定または支持するため下部本体に固定されて形成された部材を意味する。下部本体１には回転自由に中央軸１３が固定される。中央軸は中央軸固定部２０３により固定され、その両先端には中央軸ギア１４、１１４が一体に固定される。中央軸ギアが回転すると中央軸もともに回転する。中央軸ギアが回転すると往復運動をするように水平ギア１５、１１５が設けられる。水平ギア１５、１１５は外部挟み部材２１に組み立てられ、水平ギア１５、１１５と外部挟み部材２１はともに往復運動をする。水平ギア１５、１１５の往復運動によって中間ギア１６、１１６がともに回転するように設けられ、中間ギアの回転によって前記水平ギア１５、１１５と反対方向に往復運動をする水平ギア１７、１１７が設けられる。水平ギア１７、１１７は外部挟み部材１９に組み立てられ、水平ギア１７、１１７と外部挟み部材１９とはともに往復運動をする。
【００２４】
蓋２を押して閉じる時、前記水平ギア１５、１１５；１７、１１７は同時に内側につぼまりながら外部挟み部材１９、２１も内側につぼまる。外部挟み部材１９、２１が内側につぼまる時、内部挟み部材２２、２６もつぼまる。この時支持部材２４、１２４；２８、１２８が内側につぼまる。この支持部材２４、１２４；２８、１２８はガイド２０７、２０８により支持されて内部挟み部材２２、２６とともに運動する。
【００２５】
水平ギア（１５、１１５；１７、１１７）がそれぞれ外部挟み部材２１、１９と結合される時、外部挟み部材が下部側に弾性力を受けるようにそれぞれスプリング２０、１２０；１８、１１８が挿入される。
【００２６】
支持部材２４、１２４；２８、１２８がそれぞれ内部挟み部材２２、２６と結合される時、内部挟み部材が下部側に弾性力を受けるようにそれぞれスプリング２３、１２３；２７、１２７が挿入される。
【００２７】
前記中央軸は蓋２が閉まった状態で蓋が開くことができる程度の回転力を保有すべきだが、そのためには弾性力を附与するロープ３２が中央軸に固定され、そのロープはスプリング３３に連結され、そのスプリングは再び固定突起２０５に固定される。蓋が閉まると中央軸は回転しながらロープがその回転軸に巻かれ、スプリング３３は延びて中央軸が回転することができる弾性力を附与する。前記ロープとスプリングは一つまたは二つ設けられる。
【００２８】
図４は本発明に係る綿布雑巾掃除機が開いた状態を図示する概略的な平面図である。蓋２を押して閉まると、前記水平ギア１５、１１５；１７、１１７は外部挟み部材１９、２１とともに内側につぼまる。外部挟み部材１９、２１が内側につぼまる時、内部挟み部材２２、２６もつぼまる。この時支持部材２４、１２４；２８、１２８が内側につぼまる。中央軸は回転しながらロープがその回転軸に巻かれ、スプリング３３は延びて中央軸が回転することができる弾性力を附与している。
【００２９】
ハンドル固定部１１は蓋の穴３８を貫通してハンドル３に組み立てられる。下部本体には締結溝３６が形成され、蓋には締結突起３７が形成されて製品の組立後蓋が開閉される時に軸としての役割をする。下部本体に組み立てられるスライド部材３５、１３５は蓋のスライド部材組立部３９に組み立てられる。スライド部材３５、１３５を蓋のスライド部材組立部３９に組み立てることは本発明が属する技術分野の当業者により容易に実施できる。
【００３０】
図５は本発明に係る綿布雑巾掃除機が開いた状態の構造を図示した概略的な部分斜視図である。蓋の開閉につれて外部挟み部材１９、２１が開閉されるように支持部材３４、１３４の下部が下部本体に組み立てられ、スライド部材３５、１３５はその下部において水平ギア１５、１１５と組み立てられ、その上部において蓋２と組み立てられ、その中央部において支持部材３４、１３４の上部と結合される。水平ギア１５、１１５は中央軸ギア１４、１１４と食い合い、ガイド２０２により支持されて往復運動をする。中間ギア１６、１１６は固定された位置で回転する。水平ギア１７、１１７は中間ギア１６、１１６の回転によって往復運動をし、水平ギアガイド２０４により支持される。内部挟み部材２２、２６は外部挟み部材１９、２１のつぼまる力によってともにつぼまる。この時内部挟み部材２２、２６はスプリング２５、１２５、２９、１２９により外側に伸びるような弾性力を受ける。即ち蓋が開くと内部挟み部材２２、２６はスプリング２５、１２５、２９、１２９の弾性力によって外側に伸びる。支持部材２４、１２４、２８、１２８はガイド２０６と支持部材ガイド２０７、２０８により支持される。
【００３１】
図６は本発明に係る綿布雑巾掃除機が閉まった状態の構造を図示した概略的な部分斜視図である。外部挟み部材１９、２１と内部挟み部材２２、２６とが内側につぼまりながらその間に雑巾（図示されない）が挟まれることになる。中央軸１３が回転してその軸上にロープ３２、１３２が巻かれ、スプリング３３、１３３が延びて中央軸に弾性力を附与する。
【００３２】
前記蓋２を下部本体に締結するための掛け装置１２が下部本体に設けられ、それに相応する締結部材（図示されない）が蓋２の下部側に設けられる。下部本体に蓋を締結するための掛け装置は本発明が属する技術分野の当業者により容易に実施できる。
【００３３】
本発明で用いられる雑巾としては、織物、不織布、ペーパー材質などがあり、床を掃除した後に汚くなった雑巾を分離して洗濯し、反復して用いることができる。
【００３４】
【発明の効果】
本発明は蓋を開けるため本体と蓋との間に圧縮スプリングを用いる方式ではなく、内部の回転する中央軸にスプリングを連結して中央軸の回転力を蓋の上下運動のための弾性力に転換させることにより、時間が経ても本体と蓋がふくれることがない発明の効果がある。本発明は綿布雑巾掃除機の蓋を、外部挟み部材に連結されている一方支持部材のみに連結して蓋の上下運動を支持部材の水平運動に転換させ、反対方向に外部挟み部材に連結されている支持部材の水平運動のためにはギアを用いることにより、綿布雑巾掃除機の縦の幅を減らすことができ、縦の幅を減らさない場合には蓋を開けた時、外部挟み部材が本体の横方向で多く空くことにして雑巾を易く装着させる発明の効果を有する。本発明は蓋を閉じる時、蓋の中央部分ではなく横に偏った部分が押されても蓋の左右側が中央軸に支持部材とスライド部材を通じて連結されているため、外部挟み部材が平行につぼまる効果を有する。
【００３５】
本発明の単純な変形ないし変更はこの分野の通常の知識を有する者により容易に実施でき、このような変形や変更はすべて本発明の範囲に含まれる。
【図面の簡単な説明】
【図１】本発明に係る綿布雑巾掃除機の概略的な斜視図。
【図２】図１の掃除機において上部の蓋が開いた状態を図示する概略的な斜視図。
【図３】本発明に係る綿布雑巾掃除機の内部構造を図示する概略的な分解平面図。
【図４】本発明に係る綿布雑巾掃除機が開いた状態を図示する概略的な平面図。
【図５】本発明に係る綿布雑巾掃除機が開いた状態の構造を図示する概略的な部分斜視図。
【図６】本発明に係る綿布雑巾掃除機が閉まった状態の構造を図示する概略的な部分斜視図。
【符号の説明】
１　下部本体
２　蓋
３　ハンドル
１１　ハンドル固定部
１２　掛け装置
１３　中央軸
１４、１１４　中央軸ギア
１５、１１５　水平ギア
１６、１１６　中間ギア
１７、１１７　水平ギア
１８、１１８　スプリング
１９、２１　外部挟み部材
２０、１２０　スプリング
２２、２６　内部挟み部材
２３、１２３　スプリング
２４、１２４　支持部材
２５、１２５　スプリング
２７、１２７　スプリング
２８、１２８　支持部材
２９、１２９　スプリング
３０　突起
３１　鋸歯
３２、１３２　ロープ
３３、１３３　スプリング
３４、１３４　支持部材
３５、１３５　スライド部材
３６　締結溝
３７　締結突起
３８　穴
３９　スライド部材組立部
２０１　支持部材固定部
２０２　ガイド
２０３　中央軸固定部
２０４　水平ギア
１７、１１７ガイド
２０５　固定突起
２０６，２０７，２０８　ガイド
【図１】
2004113757.tif 000003
【図２】
2004113757.tif 000004
【図３】
2004113757.tif 000005
【図４】
2004113757.tif 000006
【図５】
2004113757.tif 000007
【図６】
2004113757.tif 000008